(57)【要約】【課題】非装着時回転阻止手段の簡素化と、僅かな部材の追加による機能強化。【解決手段】係止部７１を持った係止用軸体７０を回転軸２３の有底孔２３ａに軸方向移動可能状態で挿入し、係留部材６０を容器部２１の内底面に装着して多数の係留用凹凸６１に係止用軸体７０を一周させ、自由状態では係止用軸体７０を有底孔２３ａの底の付勢部材７２にて付勢して係止部７１を係留用凹凸６１に係合させる一方、装着状態では付勢を抑えて係止部７１を係留用凹凸６１から離脱させる。また、山形の衝上部材６２を係留部材６０に一体化するとともに、当接部８１を持った当接部材８０を整列盤２２に装着して、衝上部材６２と当接部８１との上下方向干渉量（Ｂ）が仕切部材２５と隔壁２２ａとの高低差Ａより大きくなるようにする。【選択図】        図１
2019141330.tif 000002
【特許請求の範囲】
【請求項１】
錠剤を収容しうる容器部と、前記容器部の中で軸回転しうる整列盤と、有底孔を穿たれた下端部が前記容器部の底部を貫いて下方へ突き出ている回転軸とを備えていて、前記回転軸が軸回転させられるとそれに随伴して前記整列盤が軸回転することで前記容器部から錠剤を逐次排出する錠剤カセットにおいて、
輪状に連なる多数の係留用凹凸を形成された係留部材が前記容器部の内底面に装着されて前記係留用凹凸が前記回転軸から離れた所で前記回転軸を一周しており、前記係留用凹凸に対応した係止部を上部に具備した係止用軸体が下部を前記有底孔に挿入されて前記回転軸に対して軸方向には相対移動しうるが径方向には相対移動しないようになっており、前記係止用軸体が下降して前記係止部が前記係留用凹凸に当接するようになっており、前記有底孔に駆動軸が嵌入されると前記係止用軸体が前記回転軸の軸方向に移動して前記係止部が前記係留部材から離脱するようになっている、ことを特徴とする錠剤カセット。
【請求項２】
山形の衝上部材が前記係留部材の前記係留用凹凸の輪状連なりの外側の所で前記容器部の内底面に装着されており、下方へ突き出た当接部材が前記整列盤の下向き面に装着されており、前記整列盤の軸回転時に前記衝上部材と前記当接部材とが間欠的に干渉するようになっている、ことを特徴とする請求項１記載の錠剤カセット。
【請求項３】
前記容器部と前記整列盤との環状間隙の上端側の一部を仕切る仕切部材が前記容器部に装着されており、前記整列盤の外周面に形成された多数の隔壁が前記環状間隙を区切っており、前記衝上部材と前記当接部材との上下方向干渉量が前記仕切部材と前記隔壁との高さの差より大きい、ことを特徴とする請求項２記載の錠剤カセット。
【請求項４】
前記係留部材と前記衝上部材とが一体形成物であることを特徴とする請求項２または請求項３に記載された錠剤カセット。
【請求項５】
前記有底孔の底部に付勢部材が遊挿されていて前記付勢部材によって付勢されることで前記係止用軸体が下降するようになっていることを特徴とする請求項１乃至請求項４の何れか一項に記載されている錠剤カセット。
【請求項６】
前記有底孔が前記回転軸を貫いて前記回転軸の装着先の前記整列盤に至って底を前記整列盤の中に位置させていることを特徴とする請求項１乃至請求項５の何れか一項に記載されている錠剤カセット。
【発明の詳細な説明】
【技術分野】
【０００１】
この発明は、病院や薬局等で行われる調剤を自動化するための錠剤フィーダにおいて被駆動部を成す錠剤カセットに関し、詳しくは、錠剤を収容する容器部とこの容器部の中で軸回転しうる整列盤とを具備していて整列盤が軸回転駆動されると整列盤の周縁部の区画室と容器部の排出路とを介して錠剤を逐次落下させる錠剤カセットに関する。
【背景技術】
【０００２】
従来より多用されている錠剤フィーダ１０は（例えば特許文献１〜５，典型例の図５参照）、給電や制御のために錠剤分包機の引出棚などに取り付けて使用される駆動部３０と、錠剤補充作業の容易化などのため駆動部３０に対して着脱自在になっている錠剤カセット２０とからなり、多数の錠剤８を錠剤カセット２０にランダム収容しておき、必要に応じて駆動部３０を間欠動作や連続動作させて錠剤カセット２０から錠剤８を一つずつ送り出すようになっている。
【０００３】
このような錠剤フィーダ１０のうち、錠剤カセット２０は、蓋２２を開けて補充された多数の錠剤８を内部空間に収容する容器部２１と、容器部２１の内部空間の内底部に軸回転可能に設けられている整列盤２２と、整列盤２２の下端部中央に突設されていて錠剤カセット２０の駆動部３０への装着時には後で詳述する駆動部３０の駆動軸３３と噛合して駆動軸３３の軸回転運動を整列盤２２に伝達する回転軸２３（容器部側伝動機構）と、容器部２１と整列盤２２との環状間隙の下端部を画する容器部２１の底板に貫通形成された排出路２４に対向させて設けられていて環状間隙の上端側の一部を仕切る仕切部材２５とを備えている。
【０００４】
しかも、それらのうち整列盤２２については、錠剤８の整列箇所である環状間隙を錠剤一つ分ずつ区切るために、環状間隙に突き出た羽根状の隔壁２２ａが、整列盤２２の外周面に等ピッチで多数形成されており、隣り合う隔壁２２ａ，２２ａの間が、整列盤２２の上から落ちてきた錠剤８を一個ずつ或いは縦一列に並べて収める区画室２２ｂになっている。また、仕切部材２５は、板材や軟質材など各種材質の何れかから作られるが、いずれも、区画室２２ｂの中の最下の錠剤８を上方の錠剤８から切り分けることができる所に位置するよう、高低等の位置調整が施されてから、設置位置が固定される。
【０００５】
このような錠剤カセット２０で取り扱う薬剤は、錠剤であって、散薬は対象外である。そして、よく取り扱われる錠剤としては、円板状の錠剤（図示した円板状錠剤８）が典型的であるが、その他に、正多角形板状のものや、円筒状カプセル剤なども、しばしば錠剤カセットの取扱対象となる。
また、円形や球形あるいは正多角形や正多面形といった謂わば定形剤から外れた菱形板状の異形剤や、中央部の膨らんだ紡錘状の異形剤、一錠未満の単位で服用できるよう一錠を裁断等で２分割して作られた半錠なども、錠剤カセットで取り扱われることがある。
【０００６】
一方、駆動部３０は、棚や筐体などに固定的に又は付け替え可能に取り付けられる基体３１を具える他、装着された錠剤カセット２０に対してその整列盤２２の回転駆動を行うために、回転駆動源のモータ３２と、その回転駆動力を外部へ伝達する駆動軸３３（駆動部側伝動機構）とが、基体３１に装備されている。また、錠剤排出の有無検出や排出錠剤の計数などのために、排出センサ３４が排出路の途中や排出先に付設されている。
そして、錠剤カセット２０が駆動部３０に装着されると、両者２０，３０の伝動機構２３，３３が嵌合等にて連結されて協動可能となり、図示しない制御装置の制御に従ってモータ３２が動作し、それに応じて伝動機構２３，３３更には整列盤２２が軸回転することで、錠剤８を一つずつ排出路２４へ送り込んで落下させるようになっている。
【０００７】
さらに、それら回転軸２３と駆動軸３３との嵌合状態は、円滑な挿抜を許容する遊びのある遊嵌的な状態でなければならず、それらの伝動機構２３，３３が単に嵌合するだけでは回転伝動可能な結合状態にならないので、嵌合に随伴して噛合もなされるようになっている。具体的には（図６（ａ）参照）、回転軸２３に内歯ギヤが採用され、それと噛合する外歯ギヤが駆動軸３３に採用されていて、両軸２３，３３が、軸心を一致させた状態で回転軸方向に相対移動して相対距離を縮めると、嵌合すると同時に噛合するようになっている。
【０００８】
もっとも、それだけでは錠剤カセット２０の着脱後には、両軸２３，３３の歯位置がずれていることが多々あり（図６（ｂ）参照）、そのズレ角θが、最大では、歯のピッチ角φの半分に達する。そして、そのようなズレがあると、両軸２３，３３が嵌合したときに回転軸２３が軸回転して制御外の不所望な排出動作を招きかねないことから、回転軸２３の望外な軸回転を積極的に抑制するために、回転軸２３を容器部２１に係留させる係留部材等を錠剤カセット２０に追加するとともに、錠剤カセット２０の駆動部３０への脱／着に応じて係留が実行／解除されるようになったものもある（例えば特許文献５参照）。
【先行技術文献】
【特許文献】
【０００９】
【特許文献１】特開２００２−２７２８１２号公報
【特許文献２】特開２０１２−１７９１２７号公報
【特許文献３】特開２０１２−１２０７１９号公報
【特許文献４】特開２０１６−１４０７２４号公報
【特許文献５】特開２０１７−１２７５３２号公報
【発明の概要】
【発明が解決しようとする課題】
【００１０】
このような錠剤カセット２０では、駆動部３０への装着によって回転軸２３が駆動軸３３と嵌合したときにも不所望な制御外の軸回転が生じないようになっている。
しかしながら、そのように非装着時に単独で軸方向嵌合方式の回転軸の回転を阻止する謂わば非装着時回転阻止手段を具現化するに際しては（特許文献５参照）、多数の歯を持つ環状の係留部材に加えて、揺動部材や揺動支点さらには付勢部材なども、カセット内に追加装備することになったため、而もそれらが小さくて繊細な部材なので作りづらいうえ取り扱いにも注意を要することから、コストアップが避けられない。
【００１１】
そこで、コストアップを抑制すべく非装着時回転阻止手段を簡素なものにすることが基本的な課題（第１技術課題）となる。
また、非装着時回転阻止手段を有効利用して僅かな部材の追加にて更なる機能をも発揮するように改良することが更なる課題となる。
具体的には、仕切部材２５と隔壁２２ａとの間に錠剤８が挟まれて錠剤排出動作に停止や不良といった不具合が生じることや（第２技術課題）、収容錠剤が少なくなったときや静電引力が働いたとき等に錠剤８が仕切部材２５の上にとどまって整列盤２２が空回りすることをも（第３技術課題）、少しの部材追加にて防止することが望まれる。
【課題を解決するための手段】
【００１２】
本発明の錠剤カセットは（解決手段１）、このような課題を解決するために創案されたものであり、
錠剤を収容しうる容器部と、前記容器部の中で軸回転しうる整列盤と、有底孔を穿たれた下端部が前記容器部の底部を貫いて下方へ突き出ている回転軸とを備えていて、前記回転軸が軸回転させられるとそれに随伴して前記整列盤が軸回転することで前記容器部から錠剤を逐次排出する錠剤カセットにおいて、
輪状に連なる多数の係留用凹凸を形成された係留部材が前記容器部の内底面に装着されて前記係留用凹凸が前記回転軸から離れた所で前記回転軸を一周しており、前記係留用凹凸に対応した係止部を上部に具備した係止用軸体が下部を前記有底孔に挿入されて前記回転軸に対して軸方向には相対移動しうるが径方向には相対移動しないようになっており、前記係止用軸体が下降して前記係止部が前記係留用凹凸に当接するようになっており、前記有底孔に駆動軸が嵌入されると前記係止用軸体が前記回転軸の軸方向に移動して前記係止部が前記係留部材から離脱するようになっている、ことを特徴とする。
【００１３】
また、本発明の錠剤カセットは（解決手段２）、上記解決手段１の錠剤カセットであって、山形の衝上部材が前記係留部材の前記係留用凹凸の輪状連なりの外側の所で前記容器部の内底面に装着されており、下方へ突き出た当接部材が前記整列盤の下向き面に装着されており、前記整列盤の軸回転時に前記衝上部材と前記当接部材とが間欠的に干渉するようになっている、ことを特徴とする。
【００１４】
さらに、本発明の錠剤カセットは（解決手段３）、上記解決手段２の錠剤カセットであって、前記容器部と前記整列盤との環状間隙の上端側の一部を仕切る仕切部材が前記容器部に装着されており、前記整列盤の外周面に形成された多数の隔壁が前記環状間隙を区切っており、前記衝上部材と前記当接部材との上下方向干渉量が前記仕切部材と前記隔壁との高さの差より大きい、ことを特徴とする。
【００１５】
また、本発明の錠剤カセットは（解決手段４）、上記解決手段２，３の錠剤カセットであって、前記係留部材と前記衝上部材とが一体形成物であることを特徴とする。
【００１６】
また、本発明の錠剤カセットは（解決手段５）、上記解決手段１〜４の錠剤カセットであって、前記有底孔の底部に付勢部材が遊挿されていて前記付勢部材によって付勢されることで前記係止用軸体が下降するようになっていることを特徴とする。
【００１７】
また、本発明の錠剤カセットは（解決手段６）、上記解決手段１〜５の錠剤カセットであって、前記有底孔が前記回転軸を貫いて前記回転軸の装着先の前記整列盤に至って底を前記整列盤の中に位置させていることを特徴とする。
すなわち、前記有底孔は、前記回転軸の部分だけをみると貫通孔と言えるが、前記整列盤と前記回転軸との一体成形物あるいは前記整列盤に前記回転軸を装着した組立物をみると、前記回転軸から前記整列盤に至って底に達する孔になっている。
【発明の効果】
【００１８】
このような本発明の錠剤カセットにあっては（解決手段１）、揺動部材や揺動支点に代えて係止用軸体を導入したうえで、係止用軸体が自重（解決手段６にあっては自重に加えて有底孔内常駐の付勢部材と）とカセット装着時進入の駆動軸との押し合いに応じて有底孔内で軸方向・孔方向に移動するようにしたことにより、小さくて繊細な揺動部材や揺動支軸さらには揺動部材通過用スリットが不要になるとともに、それらよりも大きめで簡素な部材によって非装着時回転阻止手段が具現化される。したがって、この発明によれば、非装着時回転阻止手段が簡素化されてコストが抑制され、その結果、基本的な課題（第１技術課題）が解決される。
【００１９】
また、本発明の錠剤カセットにあっては（解決手段２）、衝上部材を係留部材の輪の外側に配置したことで、衝上部材とそれに対応した当接部材とが非装着時回転阻止手段の部材の外側に位置するので、衝上部材と当接部材が非装着時回転阻止手段の機能を損なうことなく装備される。そして、整列盤が軸回転駆動されると、上方突出の衝上部材と下方突出の当接部材とが間欠的に干渉するようにしたことにより、錠剤排出に伴ってときどき整列盤が衝き上げられる。そのため、容器部の中で整列盤の上に乗っている錠剤も軽い衝撃を受けることから、錠剤同士が重なって固まりかけていたようなときには速やかに解されるので、容器部の中で整列盤の隔壁の上に乗った錠剤も、動き易くなる。そして、その錠剤が仕切部材の所へ運ばれたときに、隔壁と仕切部材との間に挟まれかけても、直ちに逃げるため、そこに固定されるという不所望な事態の発生頻度が大きく低減される。
したがって、この発明によれば、更なる課題（第２技術課題）も解決される。
【００２０】
さらに、本発明の錠剤カセットにあっては（解決手段３）、衝上部材と当接部材との上下方向干渉量を仕切部材と隔壁との高さの差より大きくしたことにより、衝上部材が当接部材と干渉して衝き上げられたときに仕切部材に対して下から当たるので、仕切部材も錠剤排出時にときどき軽く衝き上げられる。そのため、容器部の中で仕切部材の上に乗っていた錠剤も、揺れ動いて仕切部材から離れ、環状間隙へ落ちる。
したがって、この発明によれば、更なる課題（第３技術課題）も解決される。
【００２１】
また、本発明の錠剤カセットにあっては（解決手段４）、係留部材と衝上部材とを一体化にて纏めたことにより、部品点数が減るとともに、容器部の内底面への取り付け時などの作業負担が軽減される。
【００２２】
また、本発明の錠剤カセットにあっては（解決手段５）、係止用軸体の下降を付勢部材にて付勢するようにしたことにより、係止用軸体の下降が的確に行われる。
【００２３】
また、本発明の錠剤カセットにあっては（解決手段６）、有底孔が回転軸の中だけに穿たれているという基本形にとどまらず、回転軸と整列盤との結合体に対して有底孔が穿たれているという形態にまで拡張されたことにより、基本形に比べて容易に有底孔の長さを延長することができるため、係止用軸体や付勢部材の収容空間が拡大されるので、作りやすく而も扱いやすいサイズのものを係止用軸体や付勢部材に採用することができる。
【図面の簡単な説明】
【００２４】
【図１】本発明の実施例１について、錠剤カセットの構造を示し、（ａ）が自由状態の縦断面図、（ｂ）が装着状態の縦断面図である。
【図２】（ａ）が衝き上げ状態の縦断面図、（ｂ）が容器部の要部の縦断面図である。
【図３】（ａ），（ｂ）いずれも、整列盤の縦断面図である。
【図４】（ａ）が当接部材の斜視図、（ｂ）が係止用軸体の斜視図、（ｃ）が係留部材の斜視図である。
【図５】従来の錠剤フィーダを示し、（ａ）が右後からの外観斜視図、（ｂ）が縦断左側面図、（ｃ）が正面図、（ｄ）が左側面図である。
【図６】回転軸と駆動軸との嵌合状態を示し、（ａ）が両軸の嵌合状態の横断面、（ｂ）が両軸の離脱状態の横断面である。
【発明を実施するための形態】
【００２５】
このような本発明の錠剤カセットについて、これを実施するための具体的な形態を、以下の実施例１により説明する。
図１〜４に示した実施例１は、上述した解決手段１〜６（出願当初の請求項１〜６）を総て具現化したものである。
【００２６】
なお、それらの図示に際しては、簡明化等のため、ボルト等の締結具や，ヒンジ等の連結具，モータドライバ等の電気回路，コントローラ等の電子回路などは図示を割愛し、発明の説明に必要なものや関連するものを中心に図示した。
また、それらの図示に際し従来と同様の構成要素には同一の符号を付して示したので、さらに、それらについて背景技術の欄で述べたことは以下の実施例についても共通するので、重複する再度の説明は割愛し、以下、従来との相違点を中心に説明する。
【実施例１】
【００２７】
本発明の錠剤カセットの実施例１について、その具体的な構成を、図面を引用して説明する。図１は、（ａ），（ｂ）いずれも、錠剤カセット５０の縦断面図であるが、図１（ａ）は、自由状態の錠剤カセット５０に係る縦断面図であり、図１（ｂ）は、駆動軸３３が回転軸２３に嵌入された装着状態の錠剤カセット５０に係る縦断面図である。
また、図２（ａ）は、衝上部材６２に当接部８１が乗り上げた衝き上げ状態の錠剤カセット５０に係る縦断面図であり、図２（ｂ）は、容器部２１の要部の縦断面図である。
さらに、図３は、（ａ），（ｂ）いずれも、整列盤２２の縦断面図であり、図４は、（ａ）が当接部材８０の斜視図、（ｂ）が係止用軸体７０の斜視図、（ｃ）が係留部材６０の斜視図である。
【００２８】
錠剤カセット５０は、既述した容器部２１及び仕切部材２５と、部分的に改造した整列盤２２及び回転軸２３と、新たな係留部材６０と係止用軸体７０と当接部材８０とを具えたものである。すなわち、錠剤カセット５０は、既述した錠剤カセット２０の非装着時回転阻止手段を改良したうえで錠剤残留防止手段を強化したものであり、錠剤カセット２０から既述の容器部２１と整列盤２２と仕切部材２５とを引き継いだうえで、容器部２１には係留部材６０を付設するとともに、整列盤２２とその下端部中央の回転軸２３とには部分的な改造を施したうえで係止用軸体７０と付勢部材７２とを付加したものである。
【００２９】
整列盤２２は（図１，図２（ａ），図３参照）、それに対して直に付設される当接部材８０に加えて、その下端部をなす回転軸２３に対して付設される係止用軸体７０の係止部７１をも内部に収めるために、回転軸２３との嵌合部の周りが彫り込まれて、追加部材収容空間２２ｃが形成されている。また、追加部材収容空間２２ｃの中央が更に彫り込まれて短い有底孔（２３ａ）になっており、そこに回転軸２３の上端部が固く嵌入されて、回転軸２３が整列盤２２と一体化している。しかも、回転軸２３の整列盤２２に対する結合部位が有底孔２３ａの周縁部分に限定されているので、回転軸２３についてだけ見ると貫通孔にすぎない長めの孔（２３ａ）が、整列盤２２における上述の短い有底孔に繋がることで、長い有底孔２３ａになっている。
【００３０】
回転軸２３は（図１，図２（ａ），図３参照）、駆動軸３３と嵌合・噛合する有底孔２３ａに後で詳述する係止用軸体７０を収めるとともに、その状態で係止用軸体７０の係止部７１を有底孔２３ａから追加部材収容空間２２ｃへ突き出させるために、有底孔２３ａと追加部材収容空間２２ｃとを連通させる遊挿孔２３ｂが貫通形成されている。なお、有底孔２３ａは、後述する付勢部材７２の収容空間を大きく確保するために、上述したように、回転軸２３単独にとどまらず、回転軸２３と整列盤２２との連結体に対して、穿たれたものとなっている。すなわち、有底孔２３ａは、回転軸２３を貫通してから、回転軸２３の上端部が連結された整列盤２２の中へ延びて、そこに底を位置させている。
【００３１】
係留部材６０は（図１，図２，図４（ｃ）参照）、略リング状の部材であり、上面には一周に亘って多数の係留用凹凸６１が形成されている。係留用凹凸６１は、等ピッチで連なって真ん丸の輪状に並んでいる。そのような係留部材６０が、容器部２１の内底面のうち整列盤２２の回転軸２３の挿入用穴の上縁の周りに当たる部位に、接着や融着等にて固定して装着されており、多数の係留用凹凸６１が回転軸２３から少し離れた所で回転軸２３を一周している。しかも、係留部材６０には衝上部材６２が一体形成されており、本例では二個の衝上部材６２が一体形成物として係留部材６０と共に容器部２１の内底面に装着されている。衝上部材６２は、係止部７１と干渉しないよう、係留用凹凸６１の輪状連なりの外側に当たる所に配設されている。
【００３２】
係止用軸体７０は（図１，図２（ａ），図４（ｂ）参照）、回転軸２３から整列盤２２に至る有底孔２３ａより僅かに細い軸部を主体としたものであり、その軸部が有底孔２３ａに挿入されている。その軸部のうち中間部分から下部に至る部分が有底孔２３ａの内壁面と摺動することで、係止用軸体７０が回転軸２３に対して軸方向にだけ相対移動するようになっている。また、軸部の上端部が、中間部よりも少し細くなっていて、そこの段差に付勢部材７２の一端が当接するようにもなっている。付勢部材７２は、例えばコイルスプリングからなり、その他端が有底孔２３ａの底に当接する状態で有底孔２３ａの底部に遊挿されて、係止用軸体７０の下降力を強化するようになっている。
【００３３】
さらに、係止用軸体７０の軸部には、先端に係止部７１を持った腕部が本例では二個ほど具備されており、その腕部が軸部の上部から径方向へ突き出ている。そして、係止用軸体７０が回転軸２３の有底孔２３ａに収められた状態では、腕部が遊挿孔２３ｂを貫通するとともに、係止部７１が追加部材収容空間２２ｃの中に位置する（図３参照）。腕部に対して遊挿孔２３ｂが、回転軸２３の軸方向へは明確な差を持って広くなっているが、径方向へは僅かな差しか持たない。そのため、係止用軸体７０は、回転軸２３に対して、限定範囲で上下移動しうるが、径方向にはほとんど相対移動しないものとなっている。
【００３４】
係止部７１は（図１〜図４参照）、上述した係留用凹凸６１に対応しており、下端が係留用凹凸６１の凹部に軽く嵌まる形状になっている。そして、係止用軸体７０が自重や付勢部材７２によって下向きに付勢されると、係止部７１が輪状列設の係留用凹凸６１の上に下降して該当箇所の係留用凹凸６１に当接し更に最も近い凹部に嵌入されるようになっている（図１（ａ）参照）。しかも、有底孔２３ａにカセット装着先の駆動部３０の駆動軸３３が下から嵌入されると（図１（ｂ），図２（ａ）参照）、その駆動軸３３によって押し上げられて係止用軸体７０が回転軸２３の軸方向の一つである上方へ移動し、それによって係止部７１が係留部材６０の係留用凹凸６１から離脱するようになっている。
【００３５】
当接部材８０は（図１，図２（ａ），図４（ａ）参照）、内径が回転軸２３の外径より大きい円輪状部と、その外端部から円輪中心線（円輪を貫く仮想直線）と平行な方向（実装状態では鉛直下方）へ本例では二個ほど突き出た当接部８１とを具備したものである。そのうち円輪状部は、回転軸２３を囲む状態で整列盤２２の追加部材収容空間２２ｃの下向き天井面に貼着等にて固定されており、当接部８１は、その天井面から下方へ突き出ている。そして、容器部２１の中で整列盤２２が軸回転すると、当接部８１が衝上部材６２と間欠的に干渉するようになっている。
その当接部８１と衝上部材６２との上下方向干渉量Ｂは（図２（ａ）参照）、干渉時に整列盤２２が容器部２１の内底から浮上する距離になるが、仕切部材２５と隔壁２２ａとの高低差Ａ（図１参照）より少しだけ大きくなっている。
【００３６】
この実施例１の錠剤カセット５０について、その使用態様及び動作を、上述した図１（ａ），図１（ｂ），図２（ａ）を参照しながら説明する。
【００３７】
錠剤カセット５０が駆動部３０から取り外されると（図１（ａ）参照）、駆動軸３３が回転軸２３から抜け出ることから、その押し上げから解放された係止用軸体７０が自重に加えて上方の付勢部材７２によって下方へ押されることで下降し、それに随伴して係止部７１が係留部材６０に向かって下降するので、多数の係留用凹凸６１のうち直下のものの凹部に係止部７１が軽く嵌入する。そして、その係留作用によって回転軸２３の軸回転が阻止されるため、錠剤カセット５０の運搬や駆動部３０への着脱さらには錠剤カセット５０への錠剤補充といった通常の取り扱いでは、整列盤２２の回転が抑制されるので、不所望な錠剤の落下が的確に防止される。
【００３８】
また、錠剤カセット５０が駆動部３０に取り付けられると（図１（ｂ）参照）、駆動軸３３が回転軸２３に嵌入されて両者が噛合するとともに、係止用軸体７０が駆動軸３３によって押し上げられて自重および付勢部材７２の付勢力に抗って上昇することから、それに伴い係止部７１が上昇して係留部材６０の係留用凹凸６１から離脱するので、駆動軸３３による回転軸２３の回転駆動ひいては整列盤２２の回転駆動が的確に行われることとなる。そのため、駆動軸３３が軸回転する度に、整列盤２２も回転し、それによって隔壁２２ａひいては区画室２２ｂが順送りされて、区画室２２ｂにて仕切部材２５の下へ運ばれて来た錠剤が一つずつ排出路２４から下方へ落下する。
【００３９】
さらに、そのように整列盤２２が回転すると、それに装着されている当接部材８０も一緒に回転し、それに伴って当接部８１が円運動し、本例では半回転毎に当接部８１が衝上部材６２に当接する。
そうすると（図２（ａ）参照）、当接部８１が衝上部材６２に乗り上げて上下方向干渉量Ｂだけ上昇するので、当接部材８０の装着先の整列盤２２も上下方向干渉量Ｂだけ上昇する。
【００４０】
そのため、整列盤２２の上に乗っていた錠剤が容器部２１の中で上下に揺さぶられるので、多数の錠剤が塊状になっていても早々にほぐされる。
また、整列盤２２の上下動に伴って隔壁２２ａも上下方向干渉量Ｂだけ上下動することから、仕切部材２５の下に来ていた隔壁２２ａの上端が、仕切部材２５の下面に軽く衝突しながら、仕切部材２５を擦るので、仕切部材２５の上に乗っていた錠剤が、揺さぶられて、仕切部材２５から早々に落下する。
【００４１】
［その他］
上記実施例の図４（ｃ）に示した衝上部材６２は、蒲鉾状の山形のものであり、当接部８１が右回りでも左回りでも当接部８１を押し上げながら通過させるようになっていたが、当接部８１の進行方向が一方向に限定されている場合は、鋸歯状のものなど、当接部８１の当たる斜面が片方だけものであっても良い。
上記実施例では、複数の衝上部材６２を対向位置に設けることで、当接部材８０ひいては整列盤２２を円滑に上下させ、回転軸２３等を傾けようとする力が生じないようにして各部材が傷まないようにしていたが、各部材の円滑な動作や損傷に問題が無ければ、衝上部材６２を対向位置に限らず任意の位置に設けても良い。
【産業上の利用可能性】
【００４２】
本発明の錠剤カセットは、装着可能な錠剤フィーダの駆動部を具備した機器であれば、錠剤分包機のように多数の錠剤カセット・錠剤フィーダを搭載する調剤機に限らず、錠剤分割装置や瓶詰機のように単一の又は少数の錠剤カセット・錠剤フィーダを搭載する調剤機にも適用することができる。また、全自動の調剤機に限らず、例えば手動操作の度に一錠ずつ処理する半自動の調剤機などにも、使用することができる。
【符号の説明】
【００４３】
８…錠剤、１０…錠剤フィーダ、
２０…錠剤カセット、
２１…容器部、２２…整列盤、２２ａ…隔壁、２２ｂ…区画室、
２２ｃ…追加部材収容空間、２３…回転軸（容器部側伝動機構）、
２３ａ…有底孔、２３ｂ…遊挿孔、２４…排出路、２５…仕切部材、
３０…駆動部（ベース）、３１…基体、３２…モータ、
３３…駆動軸（駆動部側伝動機構）、３４…排出センサ、
５０…錠剤カセット、
６０…係留部材、６１…係留用凹凸、６２…衝上部材、
７０…係止用軸体、７１…係止部、７２…付勢部材、
８０…当接部材、８１…当接部、
Ａ…高低差、Ｂ…上下方向干渉量
【図１】
2019141330.tif 000003
【図２】
2019141330.tif 000004
【図３】
2019141330.tif 000005
【図４】
2019141330.tif 000006
【図５】
2019141330.tif 000007
【図６】
2019141330.tif 000008